(57)【要約】【課題】構造が簡単で、かつ誤挿着防止機構が配置されるカード用コネクタ装置を提供すること。【解決手段】本考案のカード用コネクタ装置は、基部と、一対の延出アームと、を含む絶縁ハウジングと、導電端子と、フレームと、前記一対の延出アームとの間に収容されるカードと、を含む。前記一対の延出アームは、垂直壁と、前記垂直壁の上下縁から内側へ向きに延在するように形成される上壁及び下壁と、前記上壁と下壁との中間に位置する仕切り壁と、をそれぞれ含む。前記一対の上壁の間の距離と、一対の仕切り壁の間の距離と、一対の下壁の間の距離と、が互いに異なり、かつ前記仕切り壁から上壁または下壁までの高さとカードの厚さとの差異によって、カードの誤挿着が防止できる。【選択図】図１
0003121239.tif 000002
【実用新案登録請求の範囲】
【請求項１】
カードを接続するための複数の端子溝が形成されるように対応接触部が配置される基部と、該基部の両端部からそれぞれ延在するように形成される一対の延出アームと、を含む絶縁ハウジングと、
前記絶縁ハウジングの端子溝にそれぞれ装着され、各カードにそれぞれ接続するための多数の導電端子と、
前記絶縁ハウジングに取り付けられ、前記カードを挿入するための挿入口を有するフレームと、
前記対応接触部を収容できる凹み部と、前記導電端子に電気的に接続するように前記凹み部に装着される導電パッドと、を有し、前記絶縁ハウジングの一対の延出アームとの間に収容されるカードと、を含むカード用コネクタ装置において
前記一対の延出アームは、
垂直壁と、
前記垂直壁の上下縁から内側へ向きに延在するように形成される上壁及び下壁と、
前記上壁と下壁との中間に位置する仕切り壁と、をそれぞれ含み、
前記一対の上壁の間の距離と、一対の仕切り壁の間の距離と一対の下壁の間の距離と、が互いに異なり、かつ前記仕切り壁から上壁または下壁までの高さとカードの厚さとの差異があることによって、カードの誤挿着が防止できることを特徴とするカード用コネクタ装置。
【請求項２】
前記カードは、
本体部と、
前記本体部から突出するように本体部の幅より小さな幅の突出部と、
本体部と突出部との間に形成される階段部と、を含み、
前記仕切り壁から前記上壁または下壁までの高さは、前記カードの最大の厚さより小さく、かつ前記カードの本体部の厚さより大きいかまたは同じであることを特徴とする、請求項１記載のカード用コネクタ装置。
【請求項３】
前記一対の上壁の間の距離と、一対の仕切り壁の間の距離と一対の下壁の間の距離と、は、その中の少なくとも一つの距離が前記カードの突出部の幅より小さいことを特徴とする、請求項２に記載のカード用コネクタ装置。
【請求項４】
前記一対の仕切り壁の間の距離と、一対の下壁の間の距離と、は、前記カードの突出部の幅より小さく、
前記仕切り壁の上方に位置する前記カードの突出部が一対の前記上壁の間に収容され、
前記各仕切り壁の下側に前記カードの挿入方向に沿って延在するように落込部が形成され、
前記仕切り壁の下方に位置するカードの突出部は一対の落込部の間に収容できることを特徴とする、請求項３に記載のカード用コネクタ装置。
【請求項５】
前記一対の仕切り壁の間の距離と、一対の上壁の間の距離と、は、前記カードの突出部の幅より小さく、
前記仕切り壁の下方に位置する前記カードの突出部が一対の前記下壁の間に収容され、
前記各仕切り壁の上側に前記カードの挿入方向に沿って延在するように落込部が形成され、
前記仕切り壁の上方に位置するカードの突出部は一対の落込部の間に収容できることを特徴とする、請求項３に記載のカード用コネクタ装置。
【請求項６】
前記一対の上壁の間の距離と、一対の下壁の間の距離と、は、前記カードの突出部の幅より小さく、
前記仕切り壁の上下側にそれぞれ位置するカードの突出部が一対の前記仕切り壁の間の空間に収容されることを特徴とする、請求項３に記載のカード用コネクタ装置。
【請求項７】
前記一対の上壁の間の距離は、前記カードの突出部の幅より小さく、
前記仕切り壁の上側に位置するカードの突出部が一対の前記上壁の間の空間に収容され、
前記仕切り壁の下側に位置するカードの突出部が一対の前記下壁の間の空間に収容されることを特徴とする、請求項３に記載のカード用コネクタ装置。
【考案の詳細な説明】
【技術分野】
【０００１】
本考案はカード用コネクタ装置に関し、特に上下に重なるカード用コネクタ装置に関するものである。
【背景技術】
【０００２】
ノートブック型パソコン等の電子機器の増設記録装置としてカード用コネクタ装置が一般的に使用されている。このカード用コネクタ装置の記憶媒体としてはＰＣカードやメモリーカードが広く使用されるようになってきている。
【０００３】
従来のカード用コネクタ装置においては、一枚のカードしか挿着することができず、そのため、例えば二枚或いは二枚以上のカードの両方を挿着したい場合に、電子機器の回路基板に対応するカード用コネクタをそれぞれ実装しなければならず面倒であり、かつ実装面積を確保しなければならないという問題があった。同時に２つのコネクタを配置する場合は２つ並べて実装するしかなく、そのため実装面積が大きくなり、かつ部品点数が多くなっていた。
【０００４】
その後、上下に重ねて実装するカード用コネクタ装置が考案され、これは、例えば、特許文献１に開示されたようなカード用コネクタ装置であり、複数の導電端子をそれぞれ装着される第１コネクタ及び第２コネクタと、前記第１コネクタと第２コネクタにそれぞれ取り付けられる第１接地片及び第２接地片と、前記第１コネクタと第２コネクタに装着される第１フレームと第２フレームと、前記導電端子を位置決めするように配置されるベースと、を含む。前記第１コネクタと第２コネクタと第１接地片と第２接地片には、固持孔がそれぞれ対応して形成され、ネジボルトとナツトにより、第１コネクタと第２コネクタと第１接地片と第２接地片が固持される（例えば、特許文献１参照）。
【特許文献１】米国特許第６，２３８，２４０号明細書
【考案の開示】
【考案が解決しようとする課題】
【０００５】
しかしながら、前記特許文献１に開示されたカード用コネクタ装置は、部品点数が多いので、製造コストが増加するとともに組立過程が複雑になってしまう。主に、技術の発展に従っていろいろな新式のカードが開発されることで、誤挿着を防止するために、カード用コネクタ装置には誤挿着防止機構が配置される必要がある。そこで、従来技術の欠点を改善したカード用コネクタ装置を開発する必要がある。
【０００６】
本考案は、構造が簡単で、かつ誤挿着防止機構が配置されるカード用コネクタ装置を提供することを目的とする。
【課題を解決するための手段】
【０００７】
本考案のカード用コネクタ装置は、カードを接続するための複数の端子溝が形成されるように対応接触部が配置される基部と、該基部の両端部からそれぞれ延在するように形成される一対の延出アームと、を含む絶縁ハウジングと、前記絶縁ハウジングの端子溝にそれぞれ装着され、各カードにそれぞれ接続するための多数の導電端子と、前記絶縁ハウジングに取り付けられ、記カードを挿入するための挿入口を有するフレームと、前記対応接触部を収容できる凹み部と、前記導電端子に電気的に接続するように前記凹み部に装着される導電パッドと、を有し、前記絶縁ハウジングの一対の延出アームとの間に収容されるカードと、を含む。前記一対の延出アームは、垂直壁と、前記垂直壁の上下縁から内側へ向きに延在するように形成される上壁及び下壁と、前記上壁と下壁との中間に位置する仕切り壁と、をそれぞれ含む。前記一対の上壁の間の距離と、一対の仕切り壁の間の距離と、一対の下壁の間の距離と、が互いに異なり、かつ前記仕切り壁から上壁または下壁までの高さとカードの厚さとの差異があることによって、カードの誤挿着が防止できる。
【考案の効果】
【０００８】
従来技術に比べ、本考案は以下の利点を有する。前記一対の上壁の間の距離と、一対の仕切り壁の間の距離と、一対の下壁の間の距離と、が互いに異なり、かつ前記仕切り壁から上壁または下壁までの高さとカードの厚さとの差異によって、カードの誤挿着が防止できる。こうして、カードの誤挿着が防止できるのみならず、カード用コネクタ装置の構造が簡単になる。
【考案を実施するための最良の形態】
【０００９】
以下、図1〜図６を参照すると、本考案のカード用コネクタ装置の好ましい実施形態について、添付図面を参照して説明する。該カード用コネクタ装置は、カード６０に接続するための複数の導電端子２０と、前記導電端子２０を装着する絶縁ハウジング１０と、絶縁ハウジング１０を回路基板（図示せず）に実装するように配置される保持部材３０と、絶縁ハウジング１０に保持される金属板からなるフレーム４０と、前記フレーム４０に組み付けられる支持部材５０と、を含む。
【００１０】
図２と図３を参照すると、前記絶縁ハウジング１０は、基部１１と、該基部１１の長手方向の両端部からそれぞれ直角に延在するように形成される一対の延出アーム１２と、前記一対の延出アーム１２の間に位置し、前記基部１１から後向きに延在するように形成される両対応接触部１３と、を含む。前記両対応接触部１３は、上下方向で平行に間隔するように配置され、その上下表面には、鋤く数の端子溝１３０がそれぞれ形成される。前記基部１１には、該基部１１を貫通し且つ前記端子溝１３０にそれぞれ連通する複数の通路１１０が形成され、前記通路１１０は基部１１の先端面１１１に沿って延在するように複数の延在溝１１２が形成される。
【００１１】
前記一対の延出アーム１２は、垂直壁１２０と、該垂直壁１２０の上下縁から内側に向けてそれぞれ延在するように形成される上壁１２１及び下壁１２２と、上壁１２１と下壁１２２と、の間に位置するように垂直壁１２０から延在する仕切り壁１２３と、を含む。前記上壁１２１と、下壁１２２と、垂直壁１２０と、は、コの字形状を呈するガイド溝（参照符号なし）を構成する。前記上壁１２１と、下壁１２２と、仕切り壁１２３と、は、先端が前記基部１１にそれぞれ連接する。前記ガイド溝は、前記仕切り壁１２３により、対応するカードをそれぞれガイドする二つの部分が画成される。前記仕切り壁１２３の下側は前記垂直壁１２０を遠離する側縁に、カード６０の挿入方向に沿って延在するように形成される落込部１２４をそれぞれ設けられる。また、前記垂直壁１２０の外側に、開放溝１２５と、該開放溝１２５の両側にそれぞれ形成される取付溝１２６と、がそれぞれ形成される。
【００１２】
図３と図４を参照すると、前記導電端子２０は、前記両対応接触部１３にそれぞれ装着される第１導電端子組と、第２導電端子組と、を含み、各導電端子２０は、カード６０に電気的に接続するように形成されるコンタクト部２２、コンタクト部２２から延在するように突刺（参照付号なし）が設けられる固持部２３と、固持部２３から折れ曲がって延在するように形成される延伸部２４と、回路基板（図示せず）に接続されるテール部２５と、を含む。前記導電端子２０は、前記基部１１の先端面１１１から絶縁ハウジング１０に装着され、前記固持部２３の突刺が前記通路１１０に干渉して係合することにより、該導電端子２０が絶縁ハウジング１０に固持される。
【００１３】
前記第１導電端子組の延伸部２４は、固持部２２の左側から延在するように形成され、第２導電端子組の延伸部２４は、固持部２２の右側から延在するように形成され、こうして、前記導電端子２０の延伸部２４は前記延在溝１１２に交互に並設するように装着される。前記コンタクト部２２は、カード６０に電気的に接続するように対応接触部１３の端子溝１３０内に収容される。前記テール部２５は、前記延伸部２４から折れ曲がって延在するように絶縁ハウジング１０を突出する。
【００１４】
図２と図４を参照すると、前記保持部材３０は、金属板からなり、前記絶縁ハウジング１０の開放溝１２５内に収容される保持部３１と、保持部３１から折り曲がり延在するように形成される半田付け部３２と、を含む。前記半田付け部３２は回路基板の接地ラインに接続するように半田付けされる。
【００１５】
図３と図４を参照すると、前記フレーム４０は、前頂壁４１と、後頂壁４２と、前記前頂壁４１の先端縁と両側縁から折れ曲がって延在するように形成される先端壁４３及び取付壁４４と、前記後頂壁４２の両側縁からそれぞれ折れ曲がって延在するように形成される側壁４５と、カード６０を挿入するための挿入口４６と、を含む。前記両側壁４５は、底縁から水平方向に沿って、内側に向きに折れ曲がって延在するように形成される第１支持部４７が設けられる。前記側壁４５と後頂壁４２との間には、前記第１支持部４７と平行な第２支持部４８が形成される。前記第１支持部４７と、第２支持部４８と、後頂壁４２と、は、カード６０の挿入を案内するための案内溝４０１、４０２からなる。
【００１６】
前記フレーム４０を前記絶縁ハウジング１０に取り付ける時に、前記先端壁４３が絶縁ハウジング１０の先端面１１に貼り付けられ、前記取付壁４４が絶縁ハウジング１０の一対の延出アーム１２の外側を覆っている。前記絶縁ハウジング１０の先端面１１１に取付凸部１１３が設けられ、前記フレーム４０の先端壁４３には、前記取付凸部１１３に係合する開口４０３が形成される。前記取付壁４４には、絶縁ハウジング１０の取付溝１２６に係合する錠止片４０５がそれぞれ形成される。前記開口４０３を取付凸部１１３に係合するとともに前記錠止片４０５を取付溝１２６に係合させることによって、フレーム４０が前記絶縁ハウジング１０に取り付けられる。
【００１７】
図４を参照すると、前記支持部材５０は、金属片ならなり、前記フレーム４０の側壁４５に取り付けられる主体部５１と、前記主体部５１から折れ曲がって延在するように形成され、取付孔５３を設ける取付部５２と、を含む。ネジボルトとナツトを前記取付孔５３に挿入することによって、前記支持部材５０を回路基板に接続させる。また、支持部材５０に実際の要求に応じてカードを排出するための排出機構を取り付け得る。
【００１８】
図５と図６を参照すると、前記導電端子２０に電気的に接続するための両カード６０は、挿入された際に、一方が仕切り壁１２３の上方に位置し、他方が仕切り壁１２３の下方位置し、両カードの構造が類似するので、図５に一つだけ示す。カード６０は、横断面が凸字形状を呈し、幅が広い本体部６１と、前記本体部６１から突出するように本体部６１の幅より小さな幅の突出部６２と、本体部６１と突出部６２との間に形成される階段部６３と、を含む。カード６０の先端には、導電パット（図示せず）を装着する凹み部（図示せず）が形成される。カード６０を絶縁ハウジング１０内に挿入する際に、絶縁ハウジング１０の対応接触部１３をカード６０の前記凹み部内に収容するとともに、前記対応接触部１３の端子溝１３０内に装着される導電端子２０がカード６０の導電パッドに電気的に接続される。
【００１９】
カード６０の最大の厚さＴと、カード６０の最小の厚さｔと、前記延出アーム１２の仕切り壁１２３から下壁１２２または上壁１２１までの高さｈとは、Ｔ＞ｔ≧ｈなる関係がある。前記一対の延出アーム１２の両上壁１２１の間の距離は、カード６０の突出部６２の幅とほぼ同じであり、かつ、その両下壁１２２の間の距離もその両仕切り壁１２３の間の距離も、カード６０の本体部６１の幅より小さい。
【００２０】
前記フレーム４０の案内溝４０１の案内により仕切り壁１２３の上方に挿入されるカード６０は、正確には即ち前記突出部６２が上向きの状態で挿入すると、その本体部６０が前記上壁１２１と仕切り壁１２３の間の空間（参照符号なし）に収容され、かつその階段部６３が前記上壁１２１の側縁に当接するとともに前記突出部６２が一対の上壁１２１との間の空間に収容される。逆に前記突出部６２が下向きの状態で挿入すると、カード６０の最大の厚さＴが仕切り壁１２３から上壁１２１までの高さｈより大きく、かつ両仕切り壁１２３の間の距離がカード６０の本体部６１の幅より小さいので、前記カード６０が絶縁ハウジング１０に挿入できず、カード６０の誤挿着が防止できる。
【００２１】
前記フレーム４０の案内溝４０２の案内により仕切り壁１２３の下方に挿入される挿入されるカード６０は、正確には即ち前記突出部６２が上方に向ける状態で挿入すると、その本体部６０が前記下壁１２２と仕切り壁１２３との間の空間（参照符号なし）に収容され、かつその階段部６３が前記仕切り壁１２３の落込部１２４に当接するとともに前記突出部６２が一対の仕切り壁１２３との間の空間に収容される。逆に前記突出部６２を下向きの状態で挿入すると、カード６０の最大の厚さＴが仕切り壁１２３から下壁１２２までの高さｈより大きく、かつ両下壁１２２の間の距離がカード６０の本体部６１の幅より小さいので、前記カード６０が絶縁ハウジング１０に挿入できず、カード６０の誤挿着を防止できる。
【００２２】
勿論、他の実施状態において、前記両仕切り壁１２３の間の距離を設定する場合、落込部１２４が仕切り壁１２３の上側に形成でき、両上壁１２１間の距離を減少させるとともに両下壁１２２の間の距離を増加させることにより、カード６０をその突出部６２が下向きの状態で挿入できる。要するに、カード６０の凸字形状を呈する構造を利用するによって、前記上壁１２１と、仕切り壁１２３と、下壁１２２と、の構造が対応して変化すると、カード６０の誤挿着防止の目的が実現される。
【００２３】
以上本考案について好ましい実施の形態を参照して詳細に説明したが、実施形態はあくまでも例示的なものであり、これらに限定されるものではない。また、本考案に基づきなし得る細部の修正或は変更など、いずれも本考案の請求範囲に属するものである。
【図面の簡単な説明】
【００２４】
【図１】本考案に係るカード用コネクタ装置の組立斜視図である。
【図２】本考案に係るカード用コネクタ装置のフレームを取り外した組立斜視図である。
【図３】本考案に係るカード用コネクタ装置の部分の組立斜視図である。
【図４】本考案に係るカード用コネクタ装置の分解斜視図である。
【図５】本考案に係るカード用コネクタ装置の絶縁ハウジングとカードの斜視図である。
【図６】図５に示すカード用コネクタ装置の絶縁ハウジングの正面図である。
【符号の説明】
【００２５】
１０  絶縁ハウジング
１１  基部
１２  延出アーム
１３  対応接触部
２０  導電端子
２２  コンタクト部
２３  固持部
２４  延伸部
２５  テール部
３０  保持部材
３１  保持部
３２  半田付け部
４０  フレーム
４１  前頂壁
４２  後頂壁
４３  先端壁
４４  取付壁
４５  側壁
４６  挿入口
４７  第１支持部
４８  第２支持部
５０  支持部材
５１  主体部
５２  取付部
５３  取付孔
６０  カード
６１  本体部
６２  突出部
１１０  通路
１１１  先端面
１１２  延在溝
１１３  取付凸部
１２０  垂直壁
１２１  上壁
１２２  下壁
１２３  仕切り壁
１２４  落込部
１２５  開放溝
１２６  取付溝
１３０  端子溝
４０１、４０２  案内溝
４０３  開口
４０５  錠止片
【図１】
0003121239.tif 000003
【図２】
0003121239.tif 000004
【図３】
0003121239.tif 000005
【図５】
0003121239.tif 000006
【図６】
0003121239.tif 000007
【図４】
0003121239.tif 000008